(57)【要約】【課題】物を齧るというねずみの習性に対して配管やダクトのラッギング材を、ねずみが忌避する性状に保持し、ねずみの齧害を防止する。【解決手段】ラッギング材を構成するグラスウールを覆うアルミ箔付きクラフト紙のクラフト紙の面に、ねずみが忌避するカプサイシンを含有するマイクロカプセルをほぼ均一に付着させて、グラスウールと接着し、成形する。【選択図】　　　図２
2004081180.tif 000002
【特許請求の範囲】
【請求項１】
片面に対して動物忌避剤をほぼ均一に分布して付着させたクラフト紙を用いて、その忌避剤の付着面を合わせ面として、片面又は両面を覆った板状のグラスウール。
【請求項２】
動物忌避材をほぼ均一に分布させた液槽中にクラフト紙を浸漬することによってクラフト紙の紙面に動物忌避材をほぼ均一に分布して付着させたクラフト紙を用いて、片面又は両面を覆った板状のグラスウール。
【請求項３】
クラフト紙とアルミ箔などの非通気性材料とを接着し、成形した請求項１記載のグラスウール。
【請求項４】
クラフト紙とアルミ箔などの非通気性材料とを接着し、成形した請求項２記載のグラスウール。
【発明の詳細な説明】
【０００１】
【発明の属する技術分野】
本発明は、空調用ダクト工事、温冷水配管工事、屋根工事、間仕切り工事などに用いられる断熱・防音・防蟻・防虫・防鼠などの性能を有するグラスウールに関する。
【０００２】
【従来の技術】
従来のダクト工事、配管工事、屋根工事、間仕切り工事などにおいては、断熱性、防音性に優れ、価格的にも比較的安価なグラスウールやロックウールが多く用いられている。
【０００３】
ダクトや配管の保温を目的としたラッギング施工においては、断熱性に優れたグラスウールなどのラッギング材の外面を、さらにアルミ箔材などの外皮材で覆うことが通常行われている。
【０００４】
アルミ箔材や綿テープなどでグラスウールなどの断熱材の外面を仕上げられた断熱層は、ねずみなどの齧歯類動物による齧害によって損傷し、断熱層を形成するグラスウールの深部まで損傷することもまれではない。
【０００５】
比較的大型のダクトにあっては、断熱材をダクトの内側に対してライニング施工することによって、断熱・防音・防鼠などの目的を達成することが可能である。
【０００６】
もとより、グラスウールやロックウールは、ねずみや白ありなどの食餌となるものではない。ゴムなども同様であるが、電線・ケーブルの場合は、唐辛子エキスを被覆ゴムに練り込むことによって、ねずみの齧害から防護することが行われている。
電線・ケーブルの場合は主として歯の摩滅を目的として齧るものであるが、グラスウールの場合は、食いちぎって、いわゆる床敷（とこじき）として巣に持ち込んだり、食い破ったところに巣を作るなどであることから、グラスウールの繊維表面に忌避剤を付着させた防鼠対策（特開２００１−２９９１８７）が行われている。
【０００７】
【発明が解決しようとする課題】
グラスウール材の防鼠効果を長期のわたって保持し、かつ経済的に達成しうる方策を実現することを目的としている。
【０００８】
また、材料の製造面での経済性はもとより、施工面での経済性や作業性を損なうことのないものとすることも必要である。
【０００９】
さらにまた、ねずみは糞尿や疫病などによる非衛生な状態を招くゆえ、ねずみの忌避する環境を醸成し、かつ持続することによって、ねずみの存在そのものを拒否することを目標としている。
【００１０】
【課題を解決するための手段】
上記の目的を達成するために、本発明においては、グラスウールの表面を覆うアルミ箔つきクラフト紙のクラフト紙に対して、ほぼ均等に忌避剤であるカプサイシンマイクロカプセルを付着させ、クラフト紙とグラスウールを接着することによって、グラスウールの表層がほぼ均一な忌避性能を有するものとしている。
【００１２】
動物忌避剤は、殺戮を目的とせず、あくまで忌避性を長期的に追求するものであって、死骸の放擲や、学習効果による薬効の無力化などの問題をクリヤーするものとすることである。
この要請に沿ったものとしては、カプサイシンをマイクロカプセル化したものが優れて有効とされる。
【００１３】
また、ねずみの場合、味覚は鈍感であるが、臭覚は発達しており、臭覚による予知・忌避効果が齧害による損傷を予防していると考えられている。すなわち、カプサイシンは激痛を招く味覚であり、その臭覚との一体学習効果が忌避性として有効なものとなっている。
【００１４】
カプサイシンのマイクロカプセルは、攪拌などの物理的な外力に耐え、製品化の過程でのカプセルの損傷は皆無に近いが、断熱材の裁断によって露出する破断面には、崩壊したカプセル中のカプサイシンが存在するため、その取扱には留意すべきことであるが、毒性を有するものではなく、防鼠電線に比しても取扱は容易である。
【００１５】
したがって、カプサイシンマイクロカプセルをアルミ箔付きクラフト紙に付着させ成形したグラスウールは経年的・経費的に満足し得る防鼠性能を有するものである。
【００１６】
なお、アルミ箔付きクラフト紙は、アルミ箔付きグラスクロスとする場合や、アルミ箔に代えてテキスタイル材を用いる場合もある。
【００１７】
【発明の実施の形態】
発明の実施の形態を実施例にもとづき、図面を参照して説明する。図１において、管材１１の外周を断熱材１２（グラスウール）で覆い、さらにその外周をクラフト紙１３で裏打ちされたアルミ箔１４で覆ってある。これは通常行われている管材の断熱施工とまったく同様である。
【００１７】
すなわち、忌避材１５はクラフト紙１３の片面（グラスウールとの合せ面）に、若しくはクラフト紙の両面に対して、ほぼ均一に分布して付着させてある。
【００１８】
図２に示す実施例は、ダクトの場合を示す。ダクト２１は一般に断面形状は長方形であるから、クラフト紙２３で裏打ちされたアルミ箔２４で一体成形された断熱材２２（グラスウール）で覆ってある。
【００１９】
忌避材２５はクラフト紙２３の紙面（グラスウールとの合せ面）に、若しくはクラフト紙の両面に対してほぼ均一に分布して付着させてあり、あらかじめグラスウール２２と一体に成形されている。
【００２０】
すなわち、断面が円筒形の場合と長方形の場合では、施工手順に相違はあっても、完成した断面構成は同様である。、円筒形の場合においても断面寸法の大きい場合はダクトの場合と同様な施工をおこなうゆえ、形状による施工の相違は、図面の説明のための例示に留める。
【００２１】
【発明の効果】
本発明は以上説明したように構成されているので、以下に記載するような効果を奏する。
【００２２】
クラフト紙に付着し、グラスウールの繊維の表層部分にほぼ均一に分布している忌避剤は、ねずみの試し齧りによってマイクロカプセルが崩壊して、激痛を招く刺激効果を発揮し、鋭敏な嗅覚との一体学習効果を与えて忌避効果を発揮する。すなわち、以後は、ねずみは臭覚体験にもとづき齧ることはない。
【００２３】
マイクロカプセルは長期間に亘ってカプセル内部のカプサイシンの薬効を持続するので、以上説明したように構成したグラスウール材は、長期にわたって防鼠効果を有する。
【００２４】
したがって、このような材料で管やダクトに対してラッギングする場合、経済的に防鼠効果を果すことが可能であり、また一般の家屋の場合においても、屋根下・天井裏・間仕切壁内などの断熱・防音材として用いることによって、その防鼠効果を果すことが可能である。
【図面の簡単な説明】
【図１】断熱施工した管材の管軸方向に対して直角の断面図である。
【図２】断熱施工したダクトの通気方向に対して直角の断面図である。
【符号の説明】
１１　　　管材
２１　　　ダクト
１２、　２２　　　グラスウール
１３、　２３　　　クラフト紙
１４、　２４　　　アルミ箔
１５、　２５　　　忌避剤
【図１】
2004081180.tif 000003
【図２】
2004081180.tif 000004